(57)【要約】【課題】荷物を雨水等で傷めることが無く、作業者が荷物の種類を間違えて作業を行うことを回避することができ、さらには、荷物の出し入れのし易いパレットを提供する。【解決手段】パレット本体２は、各々が矩形板状をなすベースフレーム４、一対の側壁部６及び後壁部７からなり、前面及び上面が連続して開口する収容空間２ａを有するボックス形状をなしている。蓋体８は、矩形板状をなし、パレット本体２の上面開口を開閉可能に後壁部７の上端部分に軸支される。蓋体８の前側縁部には、蓋体８がパレット本体２の上面開口を覆った状態においてパレット本体２の前面開口を覆うように矩形状の透明樹脂シート９が垂れ下げられている。【選択図】図３
2018020822.tif 000002
【特許請求の範囲】
【請求項１】
各々が矩形板状をなす底壁部、後壁部及び一対の側壁部からなり、前面及び上面が連続して開口する収容空間を有するボックス形状をなすとともに、荷物の種類に応じた複数の荷台が上記収容空間に取付・取外可能に配置されたパレット本体と、
該パレット本体の上面開口を開閉可能に上記後壁部の上端部分に軸支された矩形板状の蓋体とを備え、
該蓋体の前側縁部には、当該蓋体が上記パレット本体の上面開口を覆った状態において上記パレット本体の前面開口を覆うように矩形状の可撓性透明樹脂シートが垂れ下げられていることを特徴とするパレット。
【請求項２】
請求項１に記載のパレットにおいて、
上記側壁部及び上記後壁部の少なくとも一方は、矩形枠状をなす壁形成フレーム部と、矩形板状のプラスチックダンボール材と、上記壁形成フレーム部の枠内に沿って設けられ、当該壁形成フレーム部の外側に位置する矩形枠状の面と上記プラスチックダンボール材の外面とが面一となるように上記プラスチックダンボール材を固定する固定フレーム部とを備えていることを特徴とするパレット。
【請求項３】
請求項１又は２に記載のパレットにおいて、
上記パレット本体上部の四隅には、他のパレットを下方から支持可能な４つの支持部が設けられ、
上記蓋体は、当該蓋体が上記パレット本体の上面開口を閉じた状態において、上記各側壁部の両側に位置する両支持部の間に沿って延びる一対の第１角筒部と、該各第１角筒部の一端側に位置する両支持部の間と上記各第１角筒部の他端側に位置する両支持部の間とに沿ってそれぞれ延びる一対の第２角筒部と、上記各支持部の外周面に沿って延びるＬ字状をなし、上記一方の第１角筒部の各端部と上記両第２角筒部の一端とをそれぞれ繋ぐとともに上記他方の第１角筒部の各端部と上記両第２角筒部の他端とをそれぞれ繋ぐ４つの接続板部とを備えていることを特徴とするパレット。
【発明の詳細な説明】
【技術分野】
【０００１】
本発明は、物流過程において荷役作業を行う際に荷物を収容するパレットに関する。
【背景技術】
【０００２】
従来より、物流過程では、荷役作業を行い易くするために荷物を収容するパレットが用いられる。例えば、特許文献１に開示されているパレットは、矩形板状の底壁部、該底壁部の後側の長辺部分に立設された矩形枠状をなす後側フレーム部及び上記底壁部の互いに対向する各短辺部分に立設された一対の矩形枠状をなす側方フレーム部からなるパレット本体を備え、該パレット本体の収容空間の前面及び上面が連続して開口している。そして、上記後側フレーム部の上端部分には、矩形板状の蓋体が回動可能に軸支され、該蓋体は、回動動作によって上記パレット本体の上面を開閉するようになっている。
【先行技術文献】
【特許文献】
【０００３】
【特許文献１】特開２００６−３１５７３６号公報
【発明の概要】
【発明が解決しようとする課題】
【０００４】
しかし、特許文献１のパレットは、前面が開口しているので、当該開口部分から雨水等が入り込むと、パレット本体の収容空間に収容された荷物が傷んでしまうおそれがある。
【０００５】
これを回避するために、パレットにおける６面全部を壁状にしてパレット本体の収容空間に雨水等を入り込ませないようにすることが考えられる。
【０００６】
しかし、近年では、パレットを汎用化したいという要求があり、種類の異なる荷物に応じた多数の荷台がパレット本体の収容空間に取付・取外可能に配置された汎用的なパレットが知られている。そして、このようなパレットは、荷物の種類が異なっていても外観上は同じであるため、荷物の種類がそれぞれ異なる上述の如きパレットが複数あると、例えば、トラック等の荷台に積み込んだり、或いは、荷台から降ろしたりする場合、作業者が各パレットの荷物の種類を確認してその種類を間違えないようにする必要があるが、パレットにおける６面全部を壁状にしてしまうと、パレットの中身が見えなくなるので、作業者が荷物の種類を間違えて作業を行ってしまうおそれがある。
【０００７】
また、パレットの収容空間に対する荷物の出し入れ作業を作業者にできるだけ負荷の掛かり難くなるものにしたいという要求もある。
【０００８】
本発明は、斯かる点に鑑みてなされたものであり、その目的とするところは、荷物を雨水等で傷めることが無く、作業者が荷物の種類を間違えて作業を行うことを回避することができ、さらには、荷物の出し入れのし易いパレットを提供することにある。
【課題を解決するための手段】
【０００９】
上記の目的を達成するために、本発明は、パレットにおける６面のうちの前面を透明樹脂シートで覆うようにしたことを特徴とする。
【００１０】
すなわち、第１の発明では、各々が矩形板状をなす底壁部、後壁部及び一対の側壁部からなり、前面及び上面が連続して開口する収容空間を有するボックス形状をなすとともに、荷物の種類に応じた複数の荷台が上記収容空間に取付・取外可能に配置されたパレット本体と、該パレット本体の上面開口を開閉可能に上記後壁部の上端部分に軸支された矩形板状の蓋体とを備え、該蓋体の前側縁部には、当該蓋体が上記パレット本体の上面開口を覆った状態において上記パレット本体の前面開口を覆うように矩形状の可撓性透明樹脂シートが垂れ下げられていることを特徴とする。
【００１１】
第２の発明では、第１の発明において、上記側壁部及び上記後壁部の少なくとも一方は、矩形枠状をなす壁形成フレーム部と、矩形板状のプラスチックダンボール材と、上記壁形成フレーム部の枠内に沿って設けられ、当該壁形成フレーム部の外側に位置する矩形枠状の面と上記プラスチックダンボール材の外面とが面一となるように上記プラスチックダンボール材を固定する固定フレーム部とを備えていることを特徴とする。
【００１２】
第３の発明では、第１又は第２の発明において、上記パレット本体上部の四隅には、他のパレットを下方から支持可能な４つの支持部が設けられ、上記蓋体は、当該蓋体が上記パレット本体の上面開口を閉じた状態において、上記各側壁部の両側に位置する両支持部の間に沿って延びる一対の第１角筒部と、該各第１角筒部の一端側に位置する両支持部の間と上記各第１角筒部の他端側に位置する両支持部の間とに沿ってそれぞれ延びる一対の第２角筒部と、上記各支持部の外周面に沿って延びるＬ字状をなし、上記一方の第１角筒部の各端部と上記両第２角筒部の一端とをそれぞれ繋ぐとともに上記他方の第１角筒部の各端部と上記両第２角筒部の他端とをそれぞれ繋ぐ４つの接続板部とを備えていることを特徴とする。
【発明の効果】
【００１３】
第１の発明では、パレットの前面及び上面からパレットの収容空間に荷物を入れた後、パレットの前面及び上面を蓋体と透明樹脂シートとで覆うことができるので、パレットの収容空間が閉塞空間になり、パレットの収容空間に収容された荷物が雨水等で傷み難くなる。また、パレットの収容空間に収容した荷物を作業者が透明樹脂シートを介して見ることができるので、作業者は、パレットに積まれた荷物の種類を間違えて作業を行うといったことを回避することができる。さらに、作業者は、手作業で簡単に透明樹脂シートを蓋体の上面に載せることができるので、パレットの前面の開閉動作を簡単に行うことができ、荷物の出し入れが行い易いパレットにすることができる。
【００１４】
第２の発明では、雨水等がパレットに上面から降りかかった際、側壁部及び後壁部において壁形成フレーム部の外側に位置する矩形枠状の面とプラスチックダンボール材の外面とに沿って下方に流れ落ちるようになる。したがって、壁形成フレーム部の外側に位置する矩形枠状の面にプラスチックダンボール材を重ねて取り付けた側壁部及び後壁部のように、雨水等がパレットに上面から降りかかった際に壁形成フレーム部とプラスチックダンボール材との間からパレットの収容空間に浸入するといったことを防ぐことができる。
【００１５】
第３の発明では、蓋体でパレット本体の上面を覆った際、蓋体の周縁部分が側壁部及び後壁部の上方を覆うようになるので、雨水等がパレットに上面から降りかかった際に側壁部及び後壁部と蓋体との間からパレットの収容空間に浸入するといったことを確実に防ぐことができる。また、蓋体の４隅における各支持部との接触を回避するＬ字状をなす構造を、角筒材ではなく、材料費の安い板材で形成しているので、部品コストを低く抑えることができる。
【図面の簡単な説明】
【００１６】
【図１】本発明の実施形態に係るパレットの斜視図である。
【図２】本発明の実施形態に係るパレットの斜視図であり、パレットの前面を開いている状態を示す。
【図３】本発明の実施形態に係るパレットの斜視図であり、パレットの前面及び上面を開いている状態を示す。
【図４】図３のIV−IV線における断面図である。
【図５】図３のV矢視図である。
【発明を実施するための形態】
【００１７】
以下、本発明の実施形態を図面に基づいて詳細に説明する。尚、以下の好ましい実施形態の説明は、本質的に例示に過ぎない。
【００１８】
図１乃至図３は、本発明の実施形態に係るパレット１を示す。該パレット１は、例えば、トラックの荷台に荷役作業を行う際に使用するものであり、前面及び上面が開口する収容空間２ａを有するボックス形状のパレット本体２を備えている。
【００１９】
該パレット本体２は、当該パレット本体２の四隅に位置する４つの支柱３と、平面視で略長方形板状をなし、四隅が上記各支柱３の下端寄りの位置にそれぞれ繋がるベースフレーム４（底壁部）と、平面視で前側が開放するＵ字状をなし、一対の隅部と各端部とが上記各支柱３の上端寄りの位置にそれぞれ繋がる上部フレーム５とを備え、上記各支柱３及び上記上部フレーム５は角筒状をなしている。
【００２０】
上記各支柱３の上端には、略四角錐台のキャップ部材３ａが取り付けられる一方、上記各支柱３の下端には、上記キャップ部材３ａに上方から外嵌合可能な略碗形状をなす嵌合部材３ｂが取り付けられ、上記パレット１の各嵌合部材３ｂを他のパレット１の各キャップ部材３ａに上方から外嵌合させることにより、２つのパレット１を上下に重ねることができるようになっている。
【００２１】
すなわち、上記パレット本体２上部の四隅には、他のパレット１を下方から支持可能な４つの支持部３ｃが設けられている。
【００２２】
また、上記パレット１の前側に位置する各支柱３の外周面には、４つの第１面ファスナー３ｄが上下に等間隔に巻き付けられている。
【００２３】
上記ベースフレーム４の前側縁部における中途部には、前側に開口する切欠凹部４ａが形成されている。
【００２４】
また、上記ベースフレーム４の前側の長辺部分における一方の短辺側寄りの裏面には、上記パレット１の前後方向に開口する矩形リング部４ｂが形成され、該矩形リング部４ｂは、図示しないフォークリフトの爪部を抜き差し可能になっている。
【００２５】
上記上部フレーム５は、上記ベースフレーム４の後側の長辺部分に対応する第１フレーム５ａと、上記ベースフレーム４の各短辺部分に対応する一対の第２フレーム５ｂとからなっている。
【００２６】
上記ベースフレーム４の各短辺部分、該ベースフレーム４の各短辺部分に位置する２つの支柱３、及び、上記各第２フレーム５ｂで形成される矩形枠状の部分が本発明の第１壁形成フレーム部６ａを構成している。
【００２７】
該第１壁形成フレーム部６ａの枠内には、図３及び図４に示すように、当該第１壁形成フレーム部６ａの収容空間２ａ側に位置する矩形枠状の第１固定フレーム部６ｂが設けられ、該第１固定フレーム部６ｂの外側に位置する矩形枠状の面には、外形が上記第１壁形成フレーム部６ａの内周部分に対応する矩形板状の第１プラスチックダンボール材６ｃが固定されている。
【００２８】
上記第１壁形成フレーム部６ａ、上記第１固定フレーム部６ｂ及び上記第１プラスチックダンボール材６ｃが本発明の側壁部６を構成しており、上記第１プラスチックダンボール材６ｃの外面は、上記第１壁形成フレーム部６ａの外側に位置する矩形枠状の面と面一になっている。
【００２９】
上記ベースフレーム４の後側の長辺部分、該ベースフレーム４の後側の長辺部分に位置する２つの支柱３、及び、上記第１フレーム５ａで形成される矩形枠状の部分が本発明の第２壁形成フレーム部７ａを構成している。
【００３０】
該第２壁形成フレーム部７ａの枠内には、当該第２壁形成フレーム部７ａの収容空間２ａ側に位置する矩形枠状の第２固定フレーム部７ｂが設けられ、該第２固定フレーム部７ｂの外側に位置する矩形枠状の面には、外形が上記第２壁形成フレーム部７ａの内周部分に対応する矩形板状の第２プラスチックダンボール材７ｃが固定されている。
【００３１】
上記第２壁形成フレーム部７ａ、上記第２固定フレーム部７ｂ及び上記第２プラスチックダンボール材７ｃが本発明の後壁部７を構成しており、上記第２プラスチックダンボール材７ｃの外面は、上記第２壁形成フレーム部７ａの外側に位置する矩形枠状の面と面一になっている。
【００３２】
上記各第１固定フレーム部６ｂの収容空間２ａ側の四隅には、４つの板状第１取付ブラケット６ｄが取り付けられ、上記各第２固定フレーム部７ｂの収容空間２ａ側の四隅には、４つの板状第２取付ブラケット７ｄが取り付けられていて、上記パレット本体２の収容空間２ａには、図３に示すように、上記各第１取付ブラケット６ｄ及び上記第２取付ブラケット７ｄを利用して、荷物の種類に応じた複数の荷台１０が取付・取外可能に配置されている。
【００３３】
上記パレット本体２の上方には、略矩形板状をなす蓋体８が設けられ、該蓋体８は、上記パレット本体２の上面開口が開閉可能となるように上記後壁部７の上端部分に軸支されている。
【００３４】
上記蓋体８は、上記パレット本体２上面の開口部分に対応する略矩形枠状の外周フレーム８１と、該外周フレーム８１の内方に設けられ、格子状に延びる内側フレーム８２と、上記外周フレーム８１及び上記内側フレーム８２の全域を覆う第３プラスチックダンボール材８３とを備え、上記外周フレーム８１の前側の長辺部分における一方の短辺寄りの位置には、略Ｕ字状の把手８４が取り付けられている。
【００３５】
上記外周フレーム８１は、上記蓋体８が上記パレット本体２の上面開口を閉じた状態において、上記各側壁部６の両側に位置する両支持部３ｃの間に沿って延びる一対の第１角筒部８１ａと、該各第１角筒部８１ａの一端側に位置する両支持部３ｃの間と上記各第１角筒部８１ａの他端側に位置する両支持部３ｃの間とに沿ってそれぞれ延びる一対の第２角筒部８１ｂと、上記各支持部３ｃの外周面に沿って延びるＬ字状をなす４つの接続板部８１ｃとを備え、該各接続板部８１ｃは、図５に示すように、一方の第１角筒部８１ａの各端部と両第２角筒部８１ｂの一端とをそれぞれ繋ぐとともに、他方の第１角筒部８１ａの各端部と両第２角筒部８１ｂの他端とをそれぞれ繋いでいる。
【００３６】
上記蓋体８と上記パレット本体２との間には、図３に示すように、上記蓋体８を上方に回動させて上記パレット本体２の上面を開口させた際、上記蓋体８の姿勢を保持する保持部材８５が設けられている。
【００３７】
上記蓋体８の前側縁部には、矩形状の可撓性透明樹脂シート９の上縁部分が固定され、該透明樹脂シート９は、上記蓋体８が上記パレット本体２の上面開口を覆った状態において上記パレット本体２の前面開口を覆うように垂れ下がっている。
【００３８】
上記透明樹脂シート９は、軟質の塩化ビニール材で形成され、その両側裏面には、上記パレット本体２の前面開口を覆った状態で上記各第１面ファスナー３ｄに結合する４つの第２面ファスナー９ａが取り付けられている。
【００３９】
そして、作業者は、図３に示すように、上記各第１面ファスナー３ｄから上記各第２面ファスナー９ａを外すとともに透明樹脂シート９を蓋体８の上面に載せてパレット本体２の前面を開口させた状態でパレット１の収容空間２ａに荷物を出し入れするか、或いは、透明樹脂シート９を蓋体８の上面に載せ、且つ、蓋体８を上方に回動させてパレット本体２の前面及び上面を開口させた状態でパレット１の収容空間２ａに荷物を出し入れするようになっている。
【００４０】
以上より、本発明の実施形態によると、パレット１の前面及び上面からパレット１の収容空間２ａに荷物を入れた後、パレット１の前面及び上面を蓋体８と透明樹脂シート９とで覆うことができるので、パレット１の収容空間２ａが閉塞空間になり、パレット１の収容空間に収容された荷物が雨水等によって傷み難くなる。
【００４１】
また、パレット１の収容空間２ａに収容した荷物を作業者が透明樹脂シート９を介して見ることができるので、作業者は、パレット１に積まれた荷物の種類を間違えて作業を行うといったことを回避することができる。
【００４２】
さらに、作業者は、図２及び図３に示すように、手作業で簡単に透明樹脂シート９を蓋体８の上面に載せることができるので、パレット１前面の開閉動作を簡単に行うことができ、荷物の出し入れが行い易いパレット１にすることができる。
【００４３】
また、上記第１プラスチックダンボール材６ｃの外面が上記第１壁形成フレーム部６ａの外側に位置する矩形枠状の面と面一になっており、上記第２プラスチックダンボール材７ｃの外面が上記第２壁形成フレーム部７ａの外側に位置する矩形枠状の面と面一になっているので、雨水等がパレット１に上面から降りかかった際、側壁部６及び後壁部７において第１壁形成フレーム部６ａの外側に位置する矩形枠状の面と第１プラスチックダンボール材６ｃの外面とに沿って下方に流れ落ちるか、或いは、第２壁形成フレーム部７ａの外側に位置する矩形枠状の面と第２プラスチックダンボール材７ｃの外面とに沿って下方に流れ落ちるようになる。したがって、第１壁形成フレーム部６ａの外側に位置する矩形枠状の面に第１プラスチックダンボール材６ｃを重ねて取り付けた側壁部６や、或いは、第２壁形成フレーム部７ａの外側に位置する矩形枠状の面に第２プラスチックダンボール材７ｃを重ねて取り付けた後壁部７のように、雨水等がパレット１に上面から降りかかった際に第１壁形成フレーム部６ａと第１プラスチックダンボール材６ｃとの間、或いは、第２壁形成フレーム部７ａと第２プラスチックダンボール材７ｃとの間からパレット１の収容空間２ａに浸入するといったことを防ぐことができる。
【００４４】
また、蓋体８でパレット本体２の上面を覆った際、蓋体８の周縁部分が側壁部６及び後壁部７の上方を覆うようになるので、雨水等がパレット１に上面から降りかかった際に側壁部６及び後壁部７と蓋体８との間からパレット１の収容空間２ａに浸入するといったことを確実に防ぐことができる。
【００４５】
さらに、蓋体８の４隅における各支持部３ｃとの接触を回避するＬ字状をなす構造を、角筒材ではなく、接続板部８１ｃの如き材料費の安い板材で形成しているので、部品コストを低く抑えることができる。
【００４６】
尚、本発明の実施形態では、４つの第１面ファスナー３ｄが支柱３に上下に等間隔に巻き付けられる一方、これら各第１面ファスナー３ｄに対応するように透明樹脂シート９に４つの第２面ファスナー９ａが設けられているが、支柱３の前面に上下に細長い１本の第１面ファスナー３ｄを取り付けるとともに、この細長い第１面ファスナー３ｄに対応するような細長い第２面ファスナー９ａを上記透明樹脂シート９に設けるような構成であってもよい。
【００４７】
また、本発明の実施形態では、側壁部６における第１プラスチックダンボール材６ｃの外面が第１壁形成フレーム部６ａの外側に位置する矩形枠状の面と面一になっていて、さらに、後壁部７における第２プラスチックダンボール材７ｃの外面が第２壁形成フレーム部７ａの外側に位置する矩形枠状の面と面一になっているが、側壁部６及び後壁部７の少なくとも一方の構造が上述の如き面一の構造となっていればよい。
【産業上の利用可能性】
【００４８】
本発明は、物流過程において荷役作業を行う際に荷物を収容するパレットに適している。
【符号の説明】
【００４９】
１        パレット
２        パレット本体
３ｃ        支持部
４        ベースフレーム（底壁部）
６        側壁部
６ａ        第１壁形成フレーム部
６ｂ        第１固定フレーム部
６ｃ        第１プラスチックダンボール材
７        後壁部
７ａ        第２壁形成フレーム部
７ｂ        第２固定フレーム部
７ｃ        第２プラスチックダンボール材
８        蓋体
９        透明樹脂シート
１０        荷台
８１ａ        第１角筒部
８１ｂ        第２角筒部
８１ｃ        接続板部
【図１】
2018020822.tif 000003
【図２】
2018020822.tif 000004
【図３】
2018020822.tif 000005
【図４】
2018020822.tif 000006
【図５】
2018020822.tif 000007